(57)【特許請求の範囲】
【請求項１】
バックライト付き液晶表示装置（ＬＣＤ）であって、
前記ＬＣＤは、液晶パネルと、この液晶パネルにバックライトを射出するバックライト部とを有し、
前記バックライト部は、主光源と、補助光源とを有し、
前記液晶パネルを上側に、前記バックライト部を下側に置いたとき、前記主光源は、青色ＬＥＤの上に黄色発光する蛍光体が被せられて構成された白色ＬＥＤであって、前記液晶パネルの直下に拡散板を介して配置され、かつ同サイズの仮想的な正六角形を隙間なく同一平面上に並べたときの各頂点の位置に配置され、
前記補助光源は、赤色ＬＥＤであって、前記同一平面上に並べられた前記正六角形の中心の位置に、前記主光源より小さい配置密度で配置され、バックライトの赤色を補強することを特徴とするＬＣＤ。
【請求項２】
バックライト付き液晶表示装置（ＬＣＤ）であって、
前記ＬＣＤは、液晶パネルと、この液晶パネルにバックライトを射出するバックライト部とを有し、
前記バックライト部は、主光源と、補助光源とを有し、
前記液晶パネルを上側に、前記バックライト部を下側に置いたとき、前記主光源は、青色ＬＥＤの上に黄色発光する蛍光体が被せられて構成された白色ＬＥＤであって、前記液晶パネルの直下に拡散板を介して配置され、
前記補助光源は、赤色ＬＥＤであって、バックライトの赤色を補強し、
前記補助光源からの光は、前記拡散板の下側に配置された導光板を介して、前記主光源からの光と並列に前記拡散板に導かれることを特徴とするＬＣＤ。
【請求項３】
バックライト付きＬＣＤを用いる医用画像表示装置であって、
前記ＬＣＤは、液晶パネルと、この液晶パネルにバックライトを射出するバックライト部とを有し、
前記バックライト部は、主光源と、補助光源とを有し、
前記液晶パネルを上側に、前記バックライト部を下側に置いたとき、前記主光源は、青色ＬＥＤの上に黄色発光する蛍光体が被せられて構成された白色ＬＥＤであって、前記液晶パネルの直下に拡散板を介して配置され、かつ同サイズの仮想的な正六角形を隙間なく同一平面上に並べたときの各頂点の位置に配置され、
前記補助光源は、赤色ＬＥＤであって、前記同一平面上に並べられた前記正六角形の中心の位置に、前記主光源より小さい配置密度で配置され、バックライトの赤色を補強することを特徴とする医用画像表示装置。
【請求項４】
バックライト付きＬＣＤを用いる医用画像表示装置であって、
前記ＬＣＤは、液晶パネルと、この液晶パネルにバックライトを射出するバックライト部とを有し、
前記バックライト部は、主光源と、補助光源とを有し、
前記液晶パネルを上側に、前記バックライト部を下側に置いたとき、前記主光源は、青色ＬＥＤの上に黄色発光する蛍光体が被せられて構成された白色ＬＥＤであって、前記液晶パネルの直下に拡散板を介して配置され、
前記補助光源は、赤色ＬＥＤであって、バックライトの赤色を補強し、
前記補助光源からの光は、前記拡散板の下側に配置された導光板を介して、前記主光源からの光と並列に前記拡散板に導かれることを特徴とする医用画像表示装置。
【発明の詳細な説明】
【０００１】
【発明の属する技術分野】
本発明はＬＣＤ（液晶表示装置）およびこれを用いる医用画像表示装置に関し、より具体的には、例えば内視鏡撮影装置の画像のような、幾分赤味がかった画像を忠実に再現する際に好適に用い得る医用画像表示装置に関する。
【０００２】
【従来の技術】
近年、省スペース，省エネルギー等の点で、ＣＲＴディスプレイに代わって使用されるようになったＬＣＤ（液晶ディスプレイ）では、さらに薄型化，回路基板の小型化等により、バックライト光源として白色ＬＥＤ（発光ダイオード）を用いるようになってきている。
【０００３】
ここで、ＬＣＤのバックライト光源として用いられる白色ＬＥＤというのは、周知のように、図６に示すように、青色ＬＥＤ２０の上に黄色発光する蛍光体２２を被せたものであり、黄色蛍光体２２の厚みを調整することにより、青色ＬＥＤ２０の本来の発光である青色と黄色蛍光体２２の発光である黄色との割合を調整して、白色を得るように構成されているものである。
【０００４】
これについて、図を用いて詳細に説明する。図７は、一般的なＧａＮ系白色ＬＥＤの発光スペクトルを示すものである。青色ＬＥＤ２０の本来の発光である青色のピークは約４４０ｎｍ、黄色蛍光体２２の発光である黄色のピークは約５５０ｎｍである。赤色に相当する６５０ｎｍ辺り（図中の点線の円の部分）の発光強度は極めて低い。
【０００５】
このようなバックライトの色調は、カラー画像、特に内視鏡装置による撮影画像のような赤みの多い画像を表示する場合には、その演色性に問題がある。
【０００６】
すなわち、上述の内視鏡装置による撮影画像のような、赤みの多い画像を表示する場合には、この赤味がくすんだ赤色になってしまい、診断に影響する可能性も出てくるという問題である。図７に示す発光スペクトルのような特性を有する白色ＬＥＤを用いる限りは、この問題は解決しない。
【０００７】
【発明が解決しようとする課題】
本発明は、上記事情に鑑みてなされたもので、その目的とするところは、従来の技術における問題を解消し、バックライトの色味を赤味がかったものとしたＬＣＤ、およびこれを用いて、内視鏡装置による撮影画像のような赤みの多い画像を表示する場合にも、この赤味を自然な色味で表示することが可能な医用画像表示装置を提供することにある。
【０００８】
【課題を解決するための手段】
上記目的を達成するため、本発明に係るＬＣＤは、バックライト付き液晶表示装置（ＬＣＤ）であって、前記ＬＣＤは、液晶パネルと、この液晶パネルにバックライトを射出するバックライト部とを有し、前記バックライト部は、主光源と、補助光源とを有し、前記液晶パネルを上側に、前記バックライト部を下側に置いたとき、前記主光源は、青色ＬＥＤの上に黄色発光する蛍光体が被せられて構成された白色ＬＥＤであって、前記液晶パネルの直下に拡散板を介して配置され、かつ同サイズの仮想的な正六角形を隙間なく同一平面上に並べたときの各頂点の位置に配置され、前記補助光源は、赤色ＬＥＤであって、前記同一平面上に並べられた前記正六角形の中心の位置に、前記主光源より小さい配置密度で配置され、バックライトの赤色を補強することを特徴とする。
また、本発明に係るＬＣＤは、バックライト付き液晶表示装置（ＬＣＤ）であって、前記ＬＣＤは、液晶パネルと、この液晶パネルにバックライトを射出するバックライト部とを有し、前記バックライト部は、主光源と、補助光源とを有し、前記液晶パネルを上側に、前記バックライト部を下側に置いたとき、前記主光源は、青色ＬＥＤの上に黄色発光する蛍光体が被せられて構成された白色ＬＥＤであって、前記液晶パネルの直下に拡散板を介して配置され、前記補助光源は、赤色ＬＥＤであって、バックライトの赤色を補強し、前記補助光源からの光は、前記拡散板の下側に配置された導光板を介して、前記主光源からの光と並列に前記拡散板に導かれることを特徴とする。
さらに、本発明に係る医用画像表示装置は、バックライト付きＬＣＤを用いる医用画像表示装置であって、前記ＬＣＤは、液晶パネルと、この液晶パネルにバックライトを射出するバックライト部とを有し、前記バックライト部は、主光源と、補助光源とを有し、前記液晶パネルを上側に、前記バックライト部を下側に置いたとき、前記主光源は、青色ＬＥＤの上に黄色発光する蛍光体が被せられて構成された白色ＬＥＤであって、前記液晶パネルの直下に拡散板を介して配置され、かつ同サイズの仮想的な正六角形を隙間なく同一平面上に並べたときの各頂点の位置に配置され、前記補助光源は、赤色ＬＥＤであって、前記同一平面上に並べられた前記正六角形の中心の位置に、前記主光源より小さい配置密度で配置され、バックライトの赤色を補強することを特徴とする。
さらにまた、本発明に係る医用画像表示装置は、バックライト付きＬＣＤを用いる医用画像表示装置であって、前記ＬＣＤは、液晶パネルと、この液晶パネルにバックライトを射出するバックライト部とを有し、前記バックライト部は、主光源と、補助光源とを有し、前記液晶パネルを上側に、前記バックライト部を下側に置いたとき、前記主光源は、青色ＬＥＤの上に黄色発光する蛍光体が被せられて構成された白色ＬＥＤであって、前記液晶パネルの直下に拡散板を介して配置され、前記補助光源は、赤色ＬＥＤであって、バックライトの赤色を補強し、前記補助光源からの光は、前記拡散板の下側に配置された導光板を介して、前記主光源からの光と並列に前記拡散板に導かれることを特徴とする。
【０００９】
また、本発明に係る医用画像表示装置は、バックライト付きＬＣＤを用いる医用画像表示装置であって、前記バックライトとして、主光源として、青色ＬＥＤの上に黄色発光する蛍光体が被せられて構成された白色ＬＥＤ光源を用い、補助光源として赤色ＬＥＤ光源を用い、赤色を補強したものを用いることを特徴とする。
【００１０】
ここで、前記バックライトとしては、白色ＬＥＤ光源と赤色ＬＥＤ光源とからなる光源からの光を、導光板で前記ＬＣＤの液晶パネルに導くものが好適に用い得る。
【００１１】
また、前記バックライトとしては、前記ＬＣＤの液晶パネル直下に、拡散板を介して白色ＬＥＤ光源と赤色ＬＥＤ光源とを同一平面上に分散配置し、かつ、前記白色ＬＥＤ光源の配置密度を、前記赤色ＬＥＤ光源の配置密度より大きくした光源を設けたものが好適に用い得る。この場合、前記バックライトは、前記同一平面上に同サイズの正六角形を隙間なく並べた状態の各頂点に白色ＬＥＤを配置し、前記正六角形の中心に赤色ＬＥＤをそれぞれ配置していることが好ましい。
【００１２】
また、前記バックライトとしては、前記ＬＣＤの液晶パネル直下に、拡散板を介して白色光源を配置するとともに、さらに、これと並列に導光板を介して赤色光源からの光を前記拡散板に導くように構成したものが好適に用い得る。
【００１３】
さらに、前記バックライトの白色光源として白色ＬＥＤ，赤色光源として赤色ＬＥＤを用いることが好ましい。
【００１４】
【発明の実施の形態】
以下、添付の図面に基づいて、本発明の実施の形態を詳細に説明する。
【００１５】
図１は、本発明の一実施形態に係る医用画像表示装置を構成するＬＣＤ１０の概略構成を示す図であり、液晶により画像を表示する液晶パネル１２と、バックライト部１４と、液晶パネル１２のドライバ１６と、インタフェイス（Ｉ／Ｆ）１８から構成される。
【００１６】
上述のように構成される、本実施例に係るＬＣＤ１０においては、インタフェイス１８を介して、診断画像の供給源となるＸ線診断装置，ＭＲＩ診断装置，各種ＣＴ装置などの医療用診断装置の画像取得部が接続され、ここから画像データＲが供給される。
【００１７】
本実施例に係るＬＣＤ１０において、液晶パネル１２には特に制限はなく、各種のＬＣＤに用いられる公知の液晶パネルが全て利用可能である。また、その動作モードも、ＴＮ（ＴwistedＮematic）モード，ＳＴＮ（ＳuperＴwistedＮematic）モード，ＭＶＡ（Ｍulti-domain Ｖertical Ａlignment）モードなどの各種の動作モードが使用可能である。
【００１８】
また、バックライト部１４は、液晶パネル１２に表示した画像を観察するための、バックライトを射出するものであり、前述のように、赤色を補強したものとなっている、本実施形態の特徴部分である。
以下、このバックライト部１４の具体的構成例を説明する。
【００１９】
図２は、バックライト部１４の第１の実施例を示すものである。ここでは、光源として、先に説明した白色ＬＥＤに加えて赤色ＬＥＤを用い、これらのＬＥＤからの発光光を、導光板内で十分に拡散させ、均一化して、液晶パネル１２に供給するように構成したものである。
【００２０】
すなわち、図２において、１４ａは主光源である白色ＬＥＤであり、１４ｂは前述の赤色を補強するための赤色ＬＥＤを示している。また、１４ｃは光源側から離れるに従って厚みが減少している形状を有する導光板であり、これ自体は、従来公知のものをそのまま用いているものである。
【００２１】
本実施例に係るバックライト部１４によれば、白色ＬＥＤ１４ａおよび赤色ＬＥＤ１４ｂからの発光光は、導光板１４ｃ内で十分に拡散され、また、均一化されて、やや赤味を含んだ均一な白色光として、液晶パネル１２に供給され、画像の表示に供される。
【００２２】
上記実施例に係るバックライト部１４によれば、簡単な構成で、内視鏡装置による撮影画像のような、赤みの多い画像を表示する場合にも、この赤味を自然な色味で表示することが可能な医用画像表示装置用のＬＣＤを実現することができるという効果が得られる。
【００２３】
図３は、バックライト部１４の第２の実施例を示すものである。ここでも、光源として、白色ＬＥＤに加えて赤色ＬＥＤを用い（図３（ａ）参照）、また、その配置については、図３（ｂ）に示すように、同サイズの正六角形を隙間なく並べた状態の各頂点に白色ＬＥＤ１４ａを、上記正六角形の中心に赤色ＬＥＤ１４ｂを、それぞれ配置したものである。
【００２４】
そして、上記各白色ＬＥＤ１４ａと赤色ＬＥＤ１４ｂからの発光光を、その上方に設けた拡散板１４ｄを介して十分に拡散させ、均一化して、やや赤味を含んだ均一な白色光として、拡散板１４ｄの上方に位置する液晶パネル１２に供給するというものである。
【００２５】
本実施例によっても、簡単な構成で、内視鏡装置による撮影画像のような、赤みの多い画像を表示する場合にも、この赤味を自然な色味で表示することが可能な医用画像表示装置用のＬＣＤを実現することができるという効果が得られる。なお、上述の例に示した白色ＬＥＤ１４ａと赤色ＬＥＤ１４ｂの配置は一例であり、均一な拡散光が得られる範囲内であれば、他の配置を採用してもよいことはいうまでもない。
【００２６】
図４は、バックライト部１４の第３の実施例を示すものである。ここでも、光源として、白色ＬＥＤに加えて赤色ＬＥＤを用いているが、それらの配置については、上記２つの実施例の折衷型となっている。すなわち、ここでは、白色ＬＥＤ１４ａについては導光板１４ｃを介さず、赤色ＬＥＤ１４ｂについては導光板１４ｃを介するような配置を採用しているものである。
【００２７】
図４の示すところは、赤色ＬＥＤ１４ｂについては、図２に示した例と同様の導光板１４ｃを介する形とし、白色ＬＥＤ１４ａについては上述の導光板１４ｃの上方に適宜分散させて配置するようにすることで、全体として、液晶パネル１２に、やや赤味を含んだ均一な白色光を供給するというものである。
【００２８】
上記各実施例において、用いる白色ＬＥＤ１４ａおよび赤色ＬＥＤ１４ｂについては特に限定されることはなく、種々のものが用い得る。図５に、赤色ＬＥＤの具体例として、日亜化学工業（株）の赤色ＬＥＤであるＮＳＰＲの発光スペクトルを示した。なお、導光板１４ｃおよび拡散板１４ｄについても、特に限定はない。
【００２９】
なお、上記各実施形態はいずれも本発明の一例を示したものであり、本発明はこれらに限定されるべきものではなく、本発明の要旨を逸脱しない範囲内において適宜の変更または改良を行ってもよいことはいうまでもない。
【００３０】
【発明の効果】
以上、詳細に説明したように、本発明によれば、バックライトの色味を赤味がかったものとしたＬＣＤ、およびこれを用いて、内視鏡装置による撮影画像のような赤みの多い画像を表示する場合にも、この赤味を自然な色味で表示することが可能な医用画像表示装置を実現できるという効果が得られる。
【図面の簡単な説明】
【図１】  本発明の一実施形態に係る医用画像表示装置を構成するＬＣＤの概略構成を示す図である。
【図２】  第１の実施例を示す斜視図である。
【図３】  第２の実施例を示す断面図（ａ）および平面図（ｂ）である。
【図４】  第３の実施例を示す断面図である。
【図５】  具体的な赤色ＬＥＤの発光スペクトル例を示すグラフである。
【図６】  一般的な白色ＬＥＤの構成を示す図である。
【図７】  同、発光スペクトル例を示す図である。
【符号の説明】
１０  ＬＣＤ
１２  液晶パネル
１４  バックライト部
１４ａ  白色ＬＥＤ
１４ｂ  赤色ＬＥＤ
１４ｃ  導光板
１４ｄ  拡散板
１６  液晶パネルのドライバ
１８  インタフェイス（Ｉ／Ｆ）
【図１】
0004001766.tif 000002
【図２】
0004001766.tif 000003
【図３】
0004001766.tif 000004
【図４】
0004001766.tif 000005
【図５】
0004001766.tif 000006
【図６】
0004001766.tif 000007
【図７】
0004001766.tif 000008